(57)【特許請求の範囲】
【請求項１】
コンピュータに接続されている周辺機器に割り当てられたドライブ文字を書き換えるドライブ文字書き換え装置であって、
前記周辺機器の装置情報および前記ドライブ文字が記憶されている情報エリアから前記ドライブ文字を書き換える対象の前記周辺機器の種別の前記装置情報および前記ドライブ文字を取得する情報取得手段と、
前記ドライブ文字を書き換える対象の前記周辺機器の種別の前記コンピュータに現在接続されている前記周辺機器の前記装置情報を取得する接続情報取得手段と、
前記情報取得手段により取得された前記装置情報の中に前記接続情報取得手段により取得された前記装置情報があるか否かを検索する検索手段と、
該検索手段により前記情報取得手段により取得された前記装置情報の中に前記接続情報取得手段により取得された前記装置情報があるとされた場合には、前記情報取得手段により取得された前記ドライブ文字のうちの前記コンピュータに現在接続されている前記周辺機器の前記ドライブ文字のみを書き換えて前記情報エリアにコピーするドライブ文字書き換え手段と、
前記ドライブ文字を記憶するドライブ文字テーブルとを具備し、
前記ドライブ文字書き換え手段は、前記ドライブ文字テーブルに記憶されている前記ドライブ文字に基づいて前記情報取得手段により取得された前記ドライブ文字のうちの前記コンピュータに現在接続されている前記周辺機器の前記ドライブ文字のみを書き換え、
前記ドライブ文字テーブルは、前記ドライブ文字を書き換える対象の前記周辺機器の種別毎に設けられ、
前記接続情報取得手段は、前記ドライブ文字が記憶されている前記ドライブ文字テーブルの前記周辺機器の種別の前記装置情報および前記ドライブ文字を前記情報エリアから取得させ、
前記接続情報取得手段は、前記ドライブ文字テーブルに前記ドライブ文字が記憶されていることで起動され、
前記情報取得手段により取得された前記ドライブ文字の中に前記ドライブ文字テーブルに記憶された前記ドライブ文字が含まれていない場合に警告を発する警告手段をさらに具備する
ことを特徴とするドライブ文字書き換え装置。
【請求項２】
コンピュータに接続されている周辺機器に割り当てられたドライブ文字を書き換えるドライブ文字書き換え方法であって、
前記周辺機器の装置情報および前記ドライブ文字が記憶されている情報エリアから前記ドライブ文字を書き換える対象の前記周辺機器の種別の前記装置情報と前記ドライブ文字とを取得し、
前記ドライブ文字を書き換える対象の前記周辺機器の種別の前記コンピュータに現在接続されている前記周辺機器の前記装置情報を取得し、
前記情報エリアから取得した前記装置情報の中に前記取得した前記コンピュータに現在接続されている前記周辺機器の前記装置情報があるか否かを検索し、
前記ＯＳが管理している前記情報エリアから取得した前記装置情報の中に前記取得した前記コンピュータに現在接続されている前記周辺機器の前記装置情報がある場合には、前記情報エリアから取得した前記ドライブ文字のうちの前記コンピュータに現在接続されている前記周辺機器の前記ドライブ文字のみを書き換えて前記情報エリアにコピーし、
前記ドライブ文字をドライブ文字テーブルに記憶し、
該記憶した前記ドライブ文字に基づいて前記ＯＳが管理している前記情報エリアから取得した前記ドライブ文字のうちの前記コンピュータに現在接続されている前記周辺機器の前記ドライブ文字のみを書き換え、
前記ドライブ文字を書き換える対象の前記周辺機器の種別毎に前記ドライブ文字を記憶し、
該ドライブ文字を記憶した前記周辺機器の種別の前記装置情報および前記ドライブ文字を前記情報エリアから取得し、
前記ドライブ文字を記憶することにより前記情報エリアから前記ドライブ文字を書き換える対象の前記周辺機器の種別の前記装置情報および前記ドライブ文字を取得し、
前記情報エリアから取得した前記ドライブ文字の中に前記ドライブ文字テーブルに記憶した前記ドライブ文字が含まれていない場合に警告を発する
ことを特徴とするドライブ文字書き換え方法。
【発明の詳細な説明】
【０００１】
【発明の属する技術分野】
本発明は、コンピュータに接続された周辺機器のドライブ文字の書き換えを行うドライブ文字書き換え装置およびドライブ文字書き換え方法に関する。
【０００２】
【従来の技術】
従来、コンピュータに接続されたフロッピーディスクドライブ、ＣＤ−ＲＯＭドライブ等の周辺機器に対し、それぞれにドライブ文字を割り当てて各周辺機器を管理することが一般的に行われている。各周辺機器に対するドライブ文字の割り当ては、コンピュータのＯＳが決められた順番に割り当てを行い、各周辺機器のベンダー，ファームウェア，ドライバ情報とともに書き換えたドライブ文字をＯＳが保有している情報エリアに蓄積している。
【０００３】
割り当てられたドライブ文字は、ＣＤ−ＲＯＭ装置の交換、ファームウェアの書き換え、ドライバの更新、ハードディスクの論理ドライブ数の変更等の理由により、新たに割り当てられ、コンピュータに接続されている周辺機器の状況によっては、ドライブ文字が以前に割り当てられたドライブ文字とは異なってくる場合がある。このような場合には、インストールしたときのＣＤ−ＲＯＭドライブを記憶し、アンインストール時、そのアプリケーションのＣＤ−ＲＯＭをインストールしたときのドライブに挿入するよう要求するアプリケーションに対応することができないため、特開平１０−３３８１号公報に開示されているように周辺機器に割り当てられたドライブ文字を入力装置からの入力コマンドにより、ＯＳが保有している情報エリアを書き換え、ドライブ文字を以前割り当てられたドライブ文字に変更することが考えられる。
【０００４】
【発明が解決しようとする課題】
しかしながら、従来技術では、ドライブ文字を変更するに際し、ＯＳが保有している情報エリアを直接書き換えるため、ＯＳが保有している情報エリアに蓄積されている過去に接続されたことのある周辺機器を含む装置情報の中からドライブ文字を書き換える対象の周辺機器の装置情報を正確に把握する必要があり、誤って対象の周辺機器以外のドライブ文字を書き換えてしまう可能性があるという問題点があった。
【０００５】
本発明は斯かる問題点を鑑みてなされたものであり、その目的とするところは、ドライブ文字を書き換える対象の周辺機器の装置情報を正確に把握する必要がなく、誤って対象の周辺機器以外のドライブ文字を書き換えてしまうことがないドライブ文字書き換え装置およびドライブ文字書き換え方法を提供する点にある。
【０００６】
【課題を解決するための手段】
本発明は上記課題を解決すべく、以下に掲げる構成とした。
請求項１記載の発明の要旨は、コンピュータに接続されている周辺機器に割り当てられたドライブ文字を書き換えるドライブ文字書き換え装置であって、前記周辺機器の装置情報および前記ドライブ文字が記憶されている情報エリアから前記ドライブ文字を書き換える対象の前記周辺機器の種別の前記装置情報および前記ドライブ文字を取得する情報取得手段と、前記ドライブ文字を書き換える対象の前記周辺機器の種別の前記コンピュータに現在接続されている前記周辺機器の前記装置情報を取得する接続情報取得手段と、前記情報取得手段により取得された前記装置情報の中に前記接続情報取得手段により取得された前記装置情報があるか否かを検索する検索手段と、該検索手段により前記情報取得手段により取得された前記装置情報の中に前記接続情報取得手段により取得された前記装置情報があるとされた場合には、前記情報取得手段により取得された前記ドライブ文字のうちの前記コンピュータに現在接続されている前記周辺機器の前記ドライブ文字のみを書き換えて前記情報エリアにコピーするドライブ文字書き換え手段と、前記ドライブ文字を記憶するドライブ文字テーブルとを具備し、前記ドライブ文字書き換え手段は、前記ドライブ文字テーブルに記憶されている前記ドライブ文字に基づいて前記情報取得手段により取得された前記ドライブ文字のうちの前記コンピュータに現在接続されている前記周辺機器の前記ドライブ文字のみを書き換え、前記ドライブ文字テーブルは、前記ドライブ文字を書き換える対象の前記周辺機器の種別毎に設けられ、前記接続情報取得手段は、前記ドライブ文字が記憶されている前記ドライブ文字テーブルの前記周辺機器の種別の前記装置情報および前記ドライブ文字を前記情報エリアから取得させ、前記接続情報取得手段は、前記ドライブ文字テーブルに前記ドライブ文字が記憶されていることで起動され、前記情報取得手段により取得された前記ドライブ文字の中に前記ドライブ文字テーブルに記憶された前記ドライブ文字が含まれていない場合に警告を発する警告手段をさらに具備することを特徴とするドライブ文字書き換え装置に存する。
また請求項２記載の発明の要旨は、コンピュータに接続されている周辺機器に割り当てられたドライブ文字を書き換えるドライブ文字書き換え方法であって、前記周辺機器の装置情報および前記ドライブ文字が記憶されている情報エリアから前記ドライブ文字を書き換える対象の前記周辺機器の種別の前記装置情報と前記ドライブ文字とを取得し、前記ドライブ文字を書き換える対象の前記周辺機器の種別の前記コンピュータに現在接続されている前記周辺機器の前記装置情報を取得し、前記情報エリアから取得した前記装置情報の中に前記取得した前記コンピュータに現在接続されている前記周辺機器の前記装置情報があるか否かを検索し、前記ＯＳが管理している前記情報エリアから取得した前記装置情報の中に前記取得した前記コンピュータに現在接続されている前記周辺機器の前記装置情報がある場合には、前記情報エリアから取得した前記ドライブ文字のうちの前記コンピュータに現在接続されている前記周辺機器の前記ドライブ文字のみを書き換えて前記情報エリアにコピーし、前記ドライブ文字をドライブ文字テーブルに記憶し、該記憶した前記ドライブ文字に基づいて前記ＯＳが管理している前記情報エリアから取得した前記ドライブ文字のうちの前記コンピュータに現在接続されている前記周辺機器の前記ドライブ文字のみを書き換え、前記ドライブ文字を書き換える対象の前記周辺機器の種別毎に前記ドライブ文字を記憶し、該ドライブ文字を記憶した前記周辺機器の種別の前記装置情報および前記ドライブ文字を前記情報エリアから取得し、前記ドライブ文字を記憶することにより前記情報エリアから前記ドライブ文字を書き換える対象の前記周辺機器の種別の前記装置情報および前記ドライブ文字を取得し、前記情報エリアから取得した前記ドライブ文字の中に前記ドライブ文字テーブルに記憶した前記ドライブ文字が含まれていない場合に警告を発することを特徴とするドライブ文字書き換え方法に存する。
【０００７】
【発明の実施の形態】
以下、本発明の実施の形態を図面に基づいて詳細に説明する。
【０００８】
図１は、本発明に係るドライブ文字書き換え装置の実施の形態の構成を示すブロック図である。
【０００９】
本実施の形態は、コンピュータのキーボード等の入力部６から入力された希望するドライブ文字が登録されるドライブ文字テーブル１３と、コンピュータのＯＳ１が管理している情報エリア１０からドライブ文字を指定する周辺機器に関する情報のみを取得する情報取得部２と、情報取得部２により取得された情報を蓄積する接続情報履歴テーブル１１と、コンピュータのＯＳ１から現在接続されているドライブ文字を指定する周辺機器の情報を取得する接続情報取得部３と、接続情報取得部３により取得された装置情報を記憶する接続情報テーブル１２と、接続情報履歴テーブル１１の内容と接続情報テーブル１２の内容とを検索する検索部４と、接続情報履歴テーブル１１に蓄積されているドライブ文字をドライブ文字テーブル１３に登録されているドライブ文字に書き換えるドライブ文字書き換え部５とからなる。
【００１０】
ドライブ文字テーブル１３は、ドライブ文字を書き換える可能性のある例えばＣＤ−ＲＯＭ装置、フロッピーディスク装置等の周辺機器の種別毎に設けられており、入力部６から入力された操作者が書き換えを希望するドライブ文字を登録する。
【００１１】
情報取得部２は、ドライブ文字テーブル１３にドライブ文字が登録されている場合に起動され、ＯＳ１の情報エリア１０に蓄積されている書き換え対象の周辺機器の種別の装置情報および割り当てられたドライブ文字情報を取得して、接続情報履歴テーブル１１に蓄積する。なお、書き換え対象の周辺機器の種別の装置情報は、現在接続されている周辺機器の装置情報と過去に接続されたことのある周辺機器の装置情報とからなる。
【００１２】
接続情報取得部３は、ＯＳ１から現在接続されている周辺機器の装置情報を取得して、接続情報テーブル１２に蓄積する。
【００１３】
検索部４は、接続情報テーブル１２に蓄積された現在接続されている周辺機器の装置情報と一致する装置情報が接続情報履歴テーブル１１に蓄積されているか否かを検索する。
【００１４】
ドライブ文字書き換え部５は、接続情報履歴テーブル１１に蓄積されている現在接続されている周辺機器のドライブ文字情報をドライブ文字テーブル１３に基づいて書き換えるとともに、書き換えた接続情報履歴テーブル１１に蓄積されている内容をＯＳ１の情報エリア１０にコピーする。
【００１５】
次に本発明の実施の形態の動作を図２に基づいて詳細に説明する。
図２は、本発明に係るドライブ文字書き換え装置の実施の形態の動作を説明するためのフローチャートである。
【００１６】
以下、ＣＤ−ＲＯＭ装置の交換によって新たに割り当てられたドライブ文字を変更する動作を例にとって説明する。
【００１７】
まず、入力部６からＣＤ−ＲＯＭ装置用のドライブ文字テーブル１３に希望のドライブ文字を登録し（ステップ１）、ＣＤ−ＲＯＭ装置を交換すると（ステップ２）、ＯＳ１の起動時に新たに接続されたＣＤ−ＲＯＭ装置に関する装置情報が取得されるとともに、ハードディスクから順番にドライブ文字が割り当てられ（ステップ３）、取得されたＣＤ−ＲＯＭ装置の装置情報と割り当てられたドライブ文字とがセットにされてＯＳ１の情報エリア１０に蓄積される（ステップ４）。取得する装置情報は、ＣＤ−ＲＯＭ装置のベンダー名、ファームウェア（Ｒｅｖ）およびドライバ（Ｒｅｖ）の情報である。
【００１８】
次にＣＤ−ＲＯＭ装置用のドライブ文字テーブル１３にドライブ文字の登録がされているので、情報取得部２により情報エリア１０からＣＤ−ＲＯＭ装置に係る装置情報を取得し（ステップ５）、取得した装置情報は、接続情報履歴テーブル１１に蓄積する（ステップ６）。なお、情報エリア１０には、過去に本体接続したＣＤ−ＲＯＭ装置の情報がすべて蓄積されているため、それらの過去情報も取得することになる。
【００１９】
次に接続情報取得部３によりＯＳ１から接続されたＣＤ−ＲＯＭ装置の装置情報を取得し（ステップ７）、取得した装置情報を接続情報テーブル１２に蓄積する（ステップ８）。なお、接続情報取得部３により取得する装置情報は、ＣＤ−ＲＯＭ装置のベンダー名、ファームウェア（Ｒｅｖ）およびドライバ（Ｒｅｖ）の情報である。
【００２０】
次に検索部４により接続情報履歴テーブル１１内に接続情報テーブル１２に蓄積された装置情報と一致する装置情報を検索し（ステップ９、ステップ１０）、一致する情報があった場合は次の処理へ進み、一致する項目がない場合は、正しくＣＤ−ＲＯＭ装置が接続されていない場合も考えられるため、全処理を終了する（ステップ１１）。なお、一致する項目がない場合は、ＯＳがステップ３で割り当てたドライブ文字をそのまま活かすことになる。
【００２１】
一致する情報があった場合は、接続情報履歴テーブル１１内で一致した装置情報に対応して蓄積されているドライブ文字を確認し、ドライブ文字テーブル１３に登録した希望のドライブ文字か否かを確認し（ステップ１２）、希望したドライブ文字ではない場合、接続情報履歴テーブル１１に一致した装置情報に対応して蓄積されているドライブ文字をドライブ文字テーブル１３に登録されている希望のドライブ文字に変更し（ステップ１３、ステップ１４）、既に希望したドライブ文字である場合は、全処理を終了する。
【００２２】
次に修正された接続情報履歴テーブル１１の内容を情報エリア１０にコピーし（ステップ１５）、ＯＳ１を再起動する（ステップ１６）。この一連の作業により、ＣＤ−ＲＯＭ装置のドライブ文字は、ドライブ文字テーブル１３に登録した希望のドライブ文字に設定される。
【００２３】
次に本発明の実施の形態の具体的な動作を図３乃至図８に基づいて詳細に説明する。
図３は、図２に示すステップ３でＣＤ−ＲＯＭ装置に割り当てられたドライブ文字の状態を示す説明図であり、図４は、図２に示すステップ４が終了した時点での情報エリア、接続情報履歴テーブル、接続情報テーブルおよびドライブ文字テーブルの内容を示す図であり、図５は、図２に示すステップ６が終了した時点での情報エリア、接続情報履歴テーブル、接続情報テーブルおよびドライブ文字テーブルの内容を示す図であり、図６は、図２に示すステップ８が終了した時点での情報エリア、接続情報履歴テーブル、接続情報テーブルおよびドライブ文字テーブルの内容を示す図であり、図７は、図２に示すステップ１４が終了した時点での情報エリア、接続情報履歴テーブル、接続情報テーブルおよびドライブ文字テーブルの内容を示す図であり、図８は、図２に示すステップ１５が終了した時点での情報エリア、接続情報履歴テーブル、接続情報テーブルおよびドライブ文字テーブルの内容を示す図である。
【００２４】
具体例として、論理ドライブが３つ設定されている内蔵ＨＤ（１台）とＣＤ−ＲＯＭ装置（１台）とが接続されている本体があり、従来接続していたＡ社製のＣＤ−ＲＯＭ装置をＢ社製（新製品）に交換したときに、本体に内蔵されているＣＤ−ＲＯＭ装置のドライブ文字を”Ｑ”に指定する場合を説明する。なお、交換する前のＡ社製のＣＤ−ＲＯＭ装置のドライブ文字は”Ｑ”である。
【００２５】
まず、入力部６からドライブ文字テーブル１３に希望のドライブ文字である「Ｑ」を登録し（ステップ１）、ＣＤ−ＲＯＭ装置をＡ社製からＢ社製に交換すると（ステップ２）、ＯＳ１の起動時に新たに接続されたＢ社製のＣＤ−ＲＯＭ装置に関する装置情報が取得されるとともに、図３に示すようにハードディスクから順番にドライブ文字が割り当てられてＢ社製のＣＤ−ＲＯＭ装置には、ドライブ文字として「Ｆ」が割り当てられる（ステップ３）。取得されたＢ社製のＣＤ−ＲＯＭ装置の装置情報と割り当てられたドライブ文字「Ｆ」とがセットにされてＯＳ１の情報エリア１０に蓄積され（ステップ４）、図４に示すように情報エリア１０には、Ａ社製のＣＤ−ＲＯＭ装置のベンダー名：Ａ社、ファームウェア（Ｒｅｖ）：Ｖｅｒ１．０、ドライバ（Ｒｅｖ）：Ｖｅｒ２．０およびドライブ文字：ＱとＢ社製のＣＤ−ＲＯＭ装置のベンダー名：Ｂ社、ファームウェア（Ｒｅｖ）：Ｖｅｒ２．０、ドライバ（Ｒｅｖ）：Ｖｅｒ２．０およびドライブ文字：Ｆとが蓄積され、ドライブ文字テーブル１３には、希望のドライブ文字である「Ｑ」が登録されている状態になる。
【００２６】
次にドライブ文字テーブル１３にドライブ文字「Ｑ」が登録されているので、情報取得部２により情報エリア１０からＣＤ−ＲＯＭ装置に関する装置情報を取得し（ステップ５）、取得した装置情報は、接続情報履歴テーブル１１に蓄積し（ステップ６）、図５に示すように情報エリア１０のＣＤ−ＲＯＭ装置に関する内容が接続情報履歴テーブル１１に蓄積される。
【００２７】
次に接続情報取得部３によりＯＳ１から接続されたＢ社製のＣＤ−ＲＯＭ装置の装置情報を取得し（ステップ７）、図６に示すように取得したＢ社製のＣＤ−ＲＯＭ装置の装置情報を接続情報テーブル１２に蓄積する（ステップ８）。
【００２８】
次に検索部４により接続情報履歴テーブル１１内に接続情報テーブル１２に蓄積されたＢ社製のＣＤ−ＲＯＭ装置の装置情報と一致する装置情報を検索し（ステップ９、ステップ１０）、一致する装置情報があるため、
Ｂ社製のＣＤ−ＲＯＭ装置に割り当てられているドライブ文字を確認し、ドライブ文字テーブル１３に登録した希望のドライブ文字「Ｑ」か否かを確認し（ステップ１２）、希望したドライブ文字「Ｑ」ではないため、図７に示すように接続情報履歴テーブル１１に蓄積されているＢ社製のＣＤ−ＲＯＭ装置のドライブ文字をドライブ文字テーブル１３に登録されている希望のドライブ文字「Ｑ」に変更する（ステップ１３、ステップ１４）。
【００２９】
次に図８に示すように修正された接続情報履歴テーブル１１の内容を情報エリア１０にコピーし（ステップ１５）、ＯＳ１を再起動する（ステップ１６）。この一連の作業により、Ｂ社製のＣＤ−ＲＯＭ装置のドライブ文字は、ドライブ文字テーブル１３に登録した希望のドライブ文字「Ｑ」に設定される。
【００３０】
説明した具体的な例では、ドライブ文字テーブル１３に登録されているドライブ文字「Ｑ」は、Ａ社製のＣＤ−ＲＯＭ装置に割り当てられていたドライブ文字「Ｑ」と同じであり、問題はないが、ドライブ文字テーブル１３に登録されているドライブ文字が過去に接続されていたＣＤ−ＲＯＭ装置のいずれにも割り当てられていなかった場合には、ドライブ文字テーブル１３へのドライブ文字の登録ミスである可能性がある。そこでドライブ文字テーブル１３に登録されているドライブ文字が、過去に接続されていたＣＤ−ＲＯＭ装置のいずれにも割り当てられていなかった場合、すなわち接続情報履歴テーブル１１に蓄積されているドライブ文字情報の中に存在しない場合に、図示しないコンピュータの表示部等に警告を発する警告部を設けるとよい。
【００３１】
以上説明したように、本実施の形態によれば、書き換え対象の周辺機器種別の装置情報および割り当てられたドライブ文字情報のみを取得し、取得した書き換え対象の周辺機器種別の装置情報および割り当てられたドライブ文字情報のうちの現在接続されている周辺機器のドライブ文字情報を書き換えるように構成したため、ドライブ文字を書き換える対象の周辺機器の装置情報を正確に把握する必要がなく、誤って対象の周辺機器以外のドライブ文字を書き換えてしまうことがないという効果を奏する。
【００３２】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００３３】
【発明の効果】
本発明のドライブ文字書き換え装置およびドライブ文字書き換え方法は、書き換え対象の周辺機器種別の装置情報および割り当てられたドライブ文字情報のみを取得し、取得した書き換え対象の周辺機器種別の装置情報および割り当てられたドライブ文字情報のうちの現在接続されている周辺機器のドライブ文字情報を書き換え、情報エリアから取得したドライブ文字の中にドライブ文字テーブルに記憶したドライブ文字が含まれていない場合に警告を発するように構成したため、ドライブ文字を書き換える対象の周辺機器の装置情報を正確に把握する必要がなく、誤って対象の周辺機器以外のドライブ文字を書き換えてしまうことがないという効果を奏する。
【図面の簡単な説明】
【図１】本発明に係るドライブ文字書き換え装置の実施の形態の構成を示すブロック図である。
【図２】本発明に係るドライブ文字書き換え装置の実施の形態の動作を説明するためのフローチャートである。
【図３】図２に示すステップ３でＣＤ−ＲＯＭ装置に割り当てられたドライブ文字の状態を示す説明図である。
【図４】図２に示すステップ４が終了した時点での情報エリア、接続情報履歴テーブル、接続情報テーブルおよびドライブ文字テーブルの内容を示す図である。
【図５】図２に示すステップ６が終了した時点での情報エリア、接続情報履歴テーブル、接続情報テーブルおよびドライブ文字テーブルの内容を示す図である。
【図６】図２に示すステップ８が終了した時点での情報エリア、接続情報履歴テーブル、接続情報テーブルおよびドライブ文字テーブルの内容を示す図である。
【図７】図２に示すステップ１４が終了した時点での情報エリア、接続情報履歴テーブル、接続情報テーブルおよびドライブ文字テーブルの内容を示す図である。
【図８】図２に示すステップ１５が終了した時点での情報エリア、接続情報履歴テーブル、接続情報テーブルおよびドライブ文字テーブルの内容を示す図である。
【符号の説明】
１  ＯＳ
２  情報取得部
３  接続情報取得部
４  検索部
５  ドライブ文字書き換え部
６  入力部
１０  情報エリア
１１  接続情報履歴テーブル
１２  接続情報テーブル
１３  ドライブ文字テーブル
【図１】
0003586602.tif 000002
【図２】
0003586602.tif 000003
【図３】
0003586602.tif 000004
【図４】
0003586602.tif 000005
【図５】
0003586602.tif 000006
【図６】
0003586602.tif 000007
【図７】
0003586602.tif 000008
【図８】
0003586602.tif 000009